(57)【特許請求の範囲】
【請求項１】
メガネの左右の眼鏡レンズをそれぞれ載置可能に設けられた左右一対のレンズ受と、前記一対のレンズ受に載置される眼鏡レンズの屈折特性をそれぞれ測定可能な左右一対の測定光学系を備えるレンズメータであって、
前記各レンズ受は、前記測定光学系の測定光軸と直交する水平軸を中心に両端部が上下回動する様に設けられたアームと、前記水平軸と直交し且つ前記測定光軸を含む面上に位置して前記アームに設けられた一対のレンズ支持突部を備えると共に、前記一対のレンズ支持突部は前記水平軸からの距離が等しく設けられていることを特徴とするレンズメータ。
【請求項２】
メガネの左右の眼鏡レンズをそれぞれ載置可能に設けられた左右一対のレンズ受と、前記一対のレンズ受に載置される眼鏡レンズの屈折特性をそれぞれ測定可能な左右一対の測定光学系と、前記左右の眼鏡レンズのレンズ枠を保持するレンズ保持部材を備えるレンズメータであって、
前記各レンズ受は、駆動装置により前記各測定光路内の前記各眼鏡レンズを支持する位置と前記各測定光路から退避した位置との間で移動駆動可能に設けられていることを特徴とするレンズメータ。
【発明の詳細な説明】
【０００１】
【発明の属する技術分野】
この発明は、メガネ（眼鏡）の左右の眼鏡レンズの屈折特性を２つの測定光学系で個々に測定できるようにしたレンズメータに関するものである。
【０００２】
【従来の技術】
従来のレンズメータは、本体ケースの前面の上部及び下部に上下に間隔を置いて突設された上収納突部及び下収納突部と、この下収納突部の上面に設けられた一つのレンズ受と、左右に延び且つレンズ受に対して前後に移動操作可能に本体ケースに装着されたレンズテーブルと、レンズテーブルに左右動可能且つ上下動可能に装着された鼻当支持部材と、レンズ受に載置されるレンズの屈折特性を測定する測定光学系を有するものが知られている。このレンズメータにおいて測定光学系は、本体ケース及び上収納突部内に設けられた照明光学系と、下収納突部及び本体ケース内に設けられた受光光学系を備えている。
【０００３】
そして、このレンズメータにおいては、メガネの鼻当を鼻当支持部材に支持させると共にメガネフレームの左右のレンズ枠をレンズテーブルの前面に当接させて、鼻当支持部材を左右及び上下に移動操作すると共にレンズテーブルを前後に移動操作して、左右の眼鏡レンズの一方をレンズ受に当接させ、測定光学系により一方の眼鏡レンズの屈折特性を測定するようにしている。また、他方の眼鏡レンズを測定する場合には、他方の眼鏡レンズをレンズ受に当接するようにメガネフレームを上述と同様に移動操作していた。
【０００４】
【発明が解決しようとする課題】
しかしながら、従来のレンズメータでは、左右の眼鏡レンズを測定する場合、一つのレンズ受に対して眼鏡レンズを入れ替えて当接支持させる必要があり、面倒であった。
【０００５】
これを解消するものとしては、メガネの左右の眼鏡レンズを測定する光学系を一対設けることが考えられる。この場合、各受光光学系の測定光軸上においては、眼鏡レンズの正確な屈折特性を測定するために、眼鏡レンズの下面と受光光学系の受光手段までの距離を一定にする必要がある。
【０００６】
そこで、この発明は、この要望に沿うレンズ受を有するレンズメータを提供することを目的とするものである。
【０００７】
【課題を解決するための手段】
この目的を達成するため、請求項１の発明のレンズメータは、メガネの左右の眼鏡レンズをそれぞれ載置可能に設けられた左右一対のレンズ受と、前記一対のレンズ受に載置される眼鏡レンズの屈折特性をそれぞれ測定可能な左右一対の測定光学系を備えるレンズメータであって、前記各レンズ受は、前記測定光学系の測定光軸と直交する水平軸を中心に両端部が上下回動する様に設けられたアームと、前記水平軸と直交し且つ前記測定光軸を含む面上に位置して前記アームに設けられた一対のレンズ支持突部を備えると共に、前記一対のレンズ支持突部は前記水平軸からの距離が等しく設けられていることを特徴とする。
【０００８】
更に、上述した目的を達成するため、請求項２の発明のレンズメータは、メガネの左右の眼鏡レンズをそれぞれ載置可能に設けられた左右一対のレンズ受と、前記一対のレンズ受に載置される眼鏡レンズの屈折特性をそれぞれ測定可能な左右一対の測定光学系と、前記左右の眼鏡レンズのレンズ枠を保持するレンズ保持部材を備えるレンズメータであって、前記各レンズ受は、駆動装置により前記各測定光路内の前記各眼鏡レンズを支持する位置と前記各測定光路から退避した位置との間で移動駆動可能に設けられていることを特徴とする。
【０００９】
【発明の実施の形態１】
以下、この発明の実施の形態１を図面に基づいて説明する。
[構成]
＜装置本体＞
図１は本発明に係わるレンズメーターの外観図である。その図１において、１は装置本体（本体ケース）である。この装置本体１は、上部筐体部２と下部筐体部３及びこれらを連設している連設筐体部４から側面形状が略コ字状に形成されている。この上部筐体部２と下部筐体部３との間は、メガネ（眼鏡）５のセット空間６とされている。
＜メガネ＞
このメガネ５は、本実施例では、メガネフレームＭＦ、メガネフレームＭＦの左右のレンズ枠ＬＦ，ＲＦに枠入れされた眼鏡レンズＬＬ，ＲＬと、左右のレンズ枠ＬＦ，ＲＦを連設しているブリッジＢと、左右のレンズ枠ＬＦ，ＲＦ等に設けられる鼻当（図示せず）と、左右のレンズ枠ＬＦ，ＲＦに設けられたテンプルＬＴ，ＲＴを有する。
【００１０】
また、下部筐体部３の上壁７には左右両端部まで延びる開口８が図１，図３に示したように形成されている。この上壁７は、開口８により前側上壁部７ａと後側上壁７ｂに分けられている。この前側上壁部７ａと後側上壁７ｂの対向縁部の下面には、図２の如く左右に延びるレンズ受支持用の支持壁部７ａ１，７ｂ１が図３に示したようにそれぞれ一体に形成されている。この支持壁部７ａ１，７ｂ１間の左右の部分には、図２に示したレンズ受９Ｌ，９Ｒが配設されている。
＜レンズ受＞
このレンズ受９Ｌは長方形状形成された受枠１０を有する。このレンズ受１０は、左右に延びる短辺（アーム）１０ａ，１０ａと、前後に延びて短辺１０ａ，１０ａの両端に連設された長辺１０ｂ，１０ｂを有する。
【００１１】
この短辺１０ａ，１０ａは、左右方向の中心が前後に水平に延びる支持軸（水平軸）１１，１１を介して支持壁７ａ１，７ｂ１に回動自在に保持されている。尚、支持壁７ａ１，７ｂ１の下縁には、受枠９Ｌが反転しないように所定角度範囲内で回動する様に規制する回動規制突部７ａ２．７ｂ２が一体に設けられている。また、レンズ受９Ｌは、長辺１０ａ，１０ａの長手方向の中心上部に突設された軸状のレンズ受軸（レンズ支持突部）１２，１２を有する。このレンズ受軸１２は、開口８から上方に突出していて、その上端部に球状受部１２ａが設けられている。各レンズ受９Ｌ，９Ｒは、支持軸１１からレンズ受軸１２，１２間での距離Ｘ，Ｘが等しく設定されている。
【００１２】
尚、レンズ受９Ｒもレンズ受９Ｌと同一構造であるので、レンズ受９Ｒにはレンズ受９Ｌと同じ符号を付してその説明を省略する。また、このレンズ受９Ｌ，９Ｒには、上述したメガネ５の左右の眼鏡レンズＬＬ，ＲＬがそれぞれ支持される様になっている。
＜レンズ押さえ機構＞
このレンズ受９Ｌ，９Ｒ上に支持された眼鏡レンズＬＬ，ＲＬは、図１，図２，図５に示したレンズ押さえ機構１３により押さえられる様になっている。
【００１３】
このレンズ押さえ機構１３は、図２に示したように下筐体部３の側壁３ａ，３ａの内壁面に前後に向けて水平に固定されたガイドレール１４，１４と、ガイドレール１４，１４上に両端部が前後動自在に保持されたカム部材１５を有する。また、レンズ押さえ機構（レンズ保持手段）１３は、図５に示したように、一方のカム部材１４の後部に一体に設けられたラック１６と、ラック１６に噛合させられたギヤ１７と、ギヤ１７と一体に設けられ且つ図１に示したように側壁３ａに回転自在に保持された支持軸１８と、支持軸１８に取り付けられた操作レバー１９を有する。
【００１４】
更に、レンズ押さえ機構１３は、図５に示したように、後上壁７ｂに取り付けられたブラケット２０と、ブラケット２０の下端部に保持された軸保持部材２１と、軸保持部材２１に上下動自在保持され且つ後上壁７ｂを上下に貫通する支持軸２２と、軸保持部材２１と後上壁７ｂとの間に位置して支持軸２２に一体に形成されたフランジ２２ａと、フランジ２２ａと後上壁７ｂとの間に介装されて支持軸２２を下方にバネ付勢しているコイルスプリング（付勢手段）２３を有する。また、レンズ押さえ機構１３は、支持軸１３の上端部に前後に延びる水平軸線を中心に回転自在に保持された回動支持軸２４と、回動支持軸２４の前端部に一体に設けられたコ字状の支持部材２５と、支持部材２５の両側の支持軸部２５ａ，２５ａに下方に向けて保持されたレンズ押さえ軸２６，２６を有する。このレンズ押さえ軸２６，２６は、ゴム・合成樹脂等の眼鏡レンズが傷つかない材料から形成されている。
【００１５】
このレンズ押さえ軸２６，２６の軸線及び軸状のレンズ受軸１２，１２の軸線は左右上下に延びる第１の平面ＳＡ内に位置させられている。
【００１６】
また、左側において、レンズ受９Ｌの支持軸１１，１１と之に対応する回動支持軸２４の軸線は、第１の平面ＳＡと直交する第２の平面ＳＢＬ内に位置している。しかも、右側において、レンズ受９Ｒの支持軸１１，１１と之に対応する回動支持軸２４の軸線は、第１の平面ＳＡと直交する第２の平面ＳＢＲ内に位置している。
【００１７】
操作レバー１９が図１の如く起立している状態では、カム部材１５が図５の位置にあって、レンズ押さえ軸２６，２６が図３の如く上方に大きく離反させられている。そして、操作レバー９を図１の矢印２７の如く手前側に倒すことにより、ギヤ１７がラック１６を図５中右方に移動変位させ、カム部材１５がラック１６と一体に右方に変位して、支持軸２２，支持部材２５及びレンズ押さえ軸２６，２６がコイルスプリング２３のバネ力により下方に変位させられる。
＜メガネフレーム保持機構＞
また、装置本体１には、レンズ受９Ｌ，９Ｒに眼鏡レンズＬＬ，ＲＬがそれぞれ支持されたメガネ５のメガネフレームＭＦを保持するフレーム保持機構が設けられている。
【００１８】
このフレーム保持機構は、フレーム前後方向位置決機構（レンズ枠前後方向位置決機構）と、フレーム保持部材２９の左右方向中間部に取り付けられた鼻当支持機構３０（図８参照）を有する。
（フレーム前後方向位置決機構）
このレンズ枠位置決機構は、左右に延び且つ前側上壁部７ａと後側上壁７ｂ上に配設された一対のフレーム保持部材（レンズ保持部材、レンズ枠保持部材）２８，２９を有する。
【００１９】
また、前側上壁部７ａの左右の部分には、図１に示したように前後方向に延びるスリット３１，３１が形成されている。このスリット３１には図６，図７に示したようにフレーム保持部材２８と一体の可動部材３２が挿通されている。同様に後側上壁７ｂにも図６，図７に示したようにスリット３３が形成され、スリット３３には図６，図７に示したようにフレーム保持部材２９と一体の可動部材３４が挿通されている。
【００２０】
また、下筐体部３内の両側には、前後に延び且つ可動部材３２，３４を貫通するガイド軸３５，３５が配設されている。このガイド軸３５，３５は下筐体部３に図示しない位置で固定されている。しかも、可動部材３２，３３は、これらの間に介装した引張りコイルスプリング３６により、互いに接近する方向にバネ付勢されている。この一方のガイド軸３５には、可動部材３２，３３間に位置して一対のスライド部材３７，３８が軸線方向に進退移動可能に保持されている。
【００２１】
また、側壁３ａには、駆動モータ（駆動手段）３９が固定され、この駆動モータ３９により回転駆動される駆動軸４０には軸線方向に間隔をおいて左ネジ部４０ａ及び右ネジ部４０ｂが形成され、左ネジ部４０ａはスライド部材３７を貫通した状態で螺着され、右ネジ部４０ｂはスライド部材３８を貫通した状態で螺着されている。
【００２２】
この左ネジ部４０ａ及び右ネジ部４０ｂの作用により、駆動軸４０が正回転するとスライド部材３７，３８は互いに同量接近し、駆動軸４０が逆回転するとスライド部材３７，３８は互いに同量離反するようになっている。
（鼻当支持機構３０）
鼻当支持機構３０は、図９の如くフレーム保持部材２９の左右方向中央に取り付けられた支持軸４１と、支持軸４１に上下回動可能に保持された回動板４２と、図９，図１０の如く支持軸４１に捲回され且つ回動板４２を上方に回動付勢しているネジリコイルバネ４３と、図１１の如く回動板４２の先端部に保持された支持軸４４と、図１１，図１２の如く支持軸４４に回動自在に保持された鼻当支持部材４５と、支持軸４４に捲回され且つ鼻当支持部材４５を上方に回動付勢しているネジリコイルバネ４６を有する。
【００２３】
鼻当支持部材４５は、図１２（ｂ）に示したように左右の側面４５ａ，４５ａが下方に向かうに従って拡開するようなテーパ状のもの、或いは図１２（ｃ）に示したような蒲鉾状のものを用いることができる。この鼻当当接部材４５に、メガネ５の左右のレンズ枠ＬＦ，ＲＦの鼻当ＮＰ，ＮＰが当接支持される。そして、この鼻当支持部材４５にメガネ５の鼻当ＮＰ，ＮＰを支持させることにより、メガネ５のブリッジＢを装置本体１の左右方向の中央に位置させて、このメガネ５の眼鏡レンズＬＬ，ＬＲを装置本体１の左右に位置する右一対の測定光学系ＳＬ，ＳＲ（図１３参照）の光路に正確に臨ませることができる。
＜測定光学系＞
（左の測定光学系ＳＬ）
測定光学系ＳＬは、上部筐体部２内に内蔵された投光光学系（照明光学系）４７Ｌと、下部筐体部３に内蔵された受光光学系４８Ｌを有する。
【００２４】
投光光学系４７Ｌは、ＬＥＤ４９，５０、コリメートレンズ５１，５２、ダイクロイックミラー５３からなっている。ＬＥＤ４９は赤外光を発し、ＬＥＤ５０は赤色光（波長６３０ｎｍ）を発する。ダイクロイックミラー５３は赤外光を反射し、赤色光を透過する。コリメートレンズ５１，５２はＬＥＤ４９，５０から発生した発散光束を測定光束としての平行光束に変換する役割を果たす。
【００２５】
また、受光光学系４８Ｌは、ハルトマンのパターン板５４、フィールドレンズ５５、反射ミラー５６，５７、光路合成プリズム５８、結像レンズ５９、ＣＣＤ６０を有する。パターン板５４には多数の光透過部（図示せず）がマトリックス状に設けられている。
【００２６】
上述した第１の平面ＳＡ及び左側の第２の平面ＳＢＬは測定光学系ＳＬの光軸ＯＬを通る様に設けられている。また、この光軸ＯＬ即ち第１の平面ＳＡからスライド部材３７，３８までの距離は等しく設けられている。しかも、第１の平面ＳＡとスライド部材３７，３８の垂直な挟持面（番号省略）は平行に設けられている。この第１の平面ＳＡとスライド部材３７，３８の挟持面には、ゴム等の滑り止め作用のある材料の被膜又は層を設けておくと良い。
（右の測定光学系ＳＲ）
測定光学系ＳＲは、上部筐体部２内に内蔵された投光光学系（照明光学系）４７Ｒと、下部筐体部３に内蔵された受光光学系４８Ｒを有する。
【００２７】
投光光学系４７Ｒは、ＬＥＤ６１，６２、コリメートレンズ６３，６４、ダイクロイックミラー６５からなっている。ＬＥＤ６１は赤外光を発し、ＬＥＤ６２は赤色光（波長６３０ｎｍ）を発する。ダイクロイックミラー６５は赤外光を反射し、赤色光を透過する。コリメートレンズ６３，６４はＬＥＤ６１，６２から発生した発散光束を測定光束としての平行光束に変換する役割を果たす。
【００２８】
また、受光光学系４８Ｒは、ハルトマンのパターン板６６、フィールドレンズ６７、反射ミラー６８、光路合成プリズム５８、結像レンズ５９、ＣＣＤ６０を有する。パターン板６６には多数の光透過部（図示せず）がマトリックス状に設けられている。
【００２９】
上述した第１の平面ＳＡ及び左側の第２の平面ＳＢＬは測定光学系ＳＲの光軸ＯＲを通る様に設けられている。この光軸ＯＲ即ち第１の平面ＳＡからスライド部材３７，３８までの距離は等しく設けられている。
＜制御回路＞
そして、ＣＣＤ６０からの出力は演算制御回路６９に入力される。この演算制御回路６９からの出力はパソコンＰＣに入力される。また、側壁３ａには操作レバー１９が水平に倒されるのを検出するセンサ７０が設けられていて、このセンサ７０からの出力は演算制御回路６９に入力される。そして、演算制御回路６９は、センサ７０からの検出信号がなくなると、駆動モータ３９を所定時間だけ正転させて、駆動軸４０を正転させるようになっている。しかも、演算制御回路６９は、センサ７０からの検出信号が検出されると、駆動モータ３９を所定時間だけ逆転させて、駆動軸４０を逆転させるようになっている。
[作用]
次に、この様な構成のレンズメータの作用を説明する。
【００３０】
この様な構成において、メガネ５をセットするには、操作レバー１９を図１の如く垂直にする。この位置では、保持棒２２の下端がカム部材１５の上端部に乗り上がっていて、レンズ受軸１２とレンズ押さえ棒２６との間隔が図３の様に大きく開いている。尚、図３では図示の便宜上、レンズ受軸１２とレンズ押さえ棒２６との間隔が小さくなっているが、実際には図示した状態より充分に大きく取る。また、この状態では、フレーム保持部材２８，２９の間隔は図６の如く最大に開いている状態となっている。
【００３１】
この状態からメガネ５を空間６内に入れて、メガネ５の左眼鏡レンズＬＬを左のレンズ受軸１２，１２とレンズ押さえ棒２６，２６との間に配設し、メガネ５の右の眼鏡レンズＬＲを右のレンズ受軸１２，１２とレンズ押さえ棒２６，２６との間配設する。
【００３２】
そして、メガネ５の左右のレンズ枠ＬＦ，ＲＦの鼻当ＮＰ，ＮＰを鼻当当接部材４５に当接支持させる。これにより、メガネ５の左右の左眼鏡レンズＬＬ，ＬＲを装置本体１の左右方向中央から左右に振り分けて左右の測定光学系ＳＬ，ＳＲに対して左右に正確に臨ませることができる。
【００３３】
この状態で、この鼻当当接部材４５ネジリコイルバネ４３，４６のバネ力に抗して下方に移動変位させることにより、左の眼鏡レンズＬＬを左のレンズ受軸１２，１２上に当接させ、右の眼鏡レンズＬＲを右のレンズ受軸１２，１２上に当接させる。
【００３４】
ここで、メガネ５のメガネフレームＭＦは湾曲しているので、レンズ枠ＬＦ，ＲＦが図１５の如く傾斜して、レンズ枠ＬＦ，ＲＦの眼鏡レンズＬＬ，ＬＲも傾斜している。従って、左の眼鏡レンズＬＬをまず左のレンズ受軸１２，１２の一方に当接させると、レンズ受９Ｌの受枠１０は眼鏡レンズＬＬの重さで支持軸１１，１１を中心に回動し、眼鏡レンズＬＬが左のレンズ受９Ｌのレンズ受軸１２，１２の他方に当接する。この際の受枠１０の回動量は比較的に小さい。同様にして右の眼鏡レンズＬＲも右のレンズ受９Ｒのレンズ受軸１２，１２上に当接させられる。
【００３５】
このレンズ受９Ｌのレンズ受軸１２，１２の先端を結ぶ線及び支持軸１１の軸線は左側の測定光学系ＳＬの光軸ＯＬと交差し、レンズ受９Ｒのレンズ受軸１２，１２の先端を結ぶ線及び支持軸１１の軸線は右側の測定光学系ＳＲの光軸ＯＲと交差している。
【００３６】
この様な構成作用により、左の眼鏡レンズＬＬの後側屈折面（下面）の光軸ＯＬを通る部分からＣＣＤまでの距離は、眼鏡レンズＬＬの傾斜及びレンズ受９Ｌの回動量に拘わらず、略一定にすることができる。この点は、右側の眼鏡レンズＬＲについても同じである。
【００３７】
この状態で、操作レバー９を手前側に倒すと、倒し始めに演算制御回路６９に入力されていたセンサ７０からのレバー検出信号がなくなり、演算制御回路６９は駆動モータ３９を所定時間だけ正転させる。これにより、駆動軸４０が正転させられて、スライド部材３７，３８が駆動軸４０の左ネジ部４０ａ及び右ネジ部４０ｂの作用により互いに接近する方向に移動させられる。
【００３８】
この際、可動枠３２，３４がコイルスプリング３６のバネ力によりスライド部材３７，３８にそれぞれ追従し、フレーム保持部材２８，２９が互いに接近する方向に移動させられる。このフレーム保持部材２８，２９は、左右の測定光学系ＳＬ，ＳＲの光軸ＯＬ，ＯＲに対して同量移動して、光軸ＯＬ，ＯＲまでの距離が等しくなるようになっている。また、この移動に伴い、フレーム保持部材２８，２９が、コイルスプリング３６バネ力によりメガネ５のメガネフレームＭＦ（レンズ枠ＬＦ，ＲＦ）に当接して、メガネ５のメガネフレームＭＦを前後から保持（挟持）する。
【００３９】
この様に、フレーム保持部材２８，２９でメガネフレームＭＦを前後方向から保持することで、レンズ枠ＬＦ，ＲＦの幾何学中心、即ち鏡レンズＬＬ，ＬＲの幾何学中心を結ぶ線の前後方向の位置が、左右の測定光学系ＳＬ，ＳＲの測定光軸を結ぶ線の前後方向の位置と一致するようになっている。
【００４０】
しかも、スライド部材３７，３８は、フレーム保持部材２８，２９がメガネ５のメガネフレームＭＦ（レンズ枠ＬＦ，ＲＦ）に当接した後も、スライド部材３７，３８が駆動軸４０の左ネジ部４０ａ及び右ネジ部４０ｂの作用により図７の位置まで移動させられる。
【００４１】
この位置までの移動は駆動モータ３９の正転時間を設定することで得られる。尚、この位置をスイッチ又はセンサ等の検出手段で検出して、駆動モータ３９を停止させるようにしても良い。
【００４２】
一方、操作レバー９を手前側に倒すと、この操作レバー９の回転がギヤ１７に伝達され、ラック１６が図５中右方に移動させられ、カム部材１５がラック１６と一体に右方に移動させられる。これにより、支持軸２２がコイルスプリング２３のバネ力によりカム部材１５の傾斜面１５ａに沿って降下し、支持軸２２，支持部材２５及びレンズ押さえ軸２６，２６がコイルスプリング２３のバネ力により下方に変位させられる。この際、フレーム保持部材２８，２９がメガネ５のメガネフレームＭＦ（レンズ枠ＬＦ，ＲＦ）に当接して保持するまでは、左右のレンズ押さえ棒２６，２６及び２６，２６が眼鏡レンズＬＬ，ＬＲに当接しないように操作レバー１９を保持している。
【００４３】
そして、フレーム保持部材２８，２９がメガネ５のメガネフレームＭＦ（レンズ枠ＬＦ，ＲＦ）に当接した後、操作レバー１９を水平位置まで手前側に倒して、左右のレンズ押さえ棒２６，２６及び２６，２６を眼鏡レンズＬＬ，ＬＲにそれぞれ上方から当接させて保持する。
【００４４】
この様に操作レバー９を図１の矢印２７の如く手前側に水平に倒すと、ギヤ１７がラック１６を図５中右方に移動変位させ、カム部材１５がラック１６と一体に右方に変位して、支持軸２２，支持部材２５及びレンズ押さえ軸２６，２６がコイルスプリング２３のバネ力によりカム部材１５の上面のカム面に沿って下方に変位させられる。この変位に伴い、左右の各支持部材２５に設けたンズ押さえ機構１３，１３は、レンズ押さえ棒２６，２６のうち一方が先に眼鏡レンズＬＬ（ＬＲ）に当接する。
【００４５】
しかし、回動支持軸２４，支持部材２５及び支持軸２２はコイルスプリング２３で下方にバネ付勢されていると共に、支持部材２５は前後方向に水平な回動支持軸２４を中心に回動可能に支持軸２２に保持されているので、コイルスプリング２３の下方へのバネ付勢力により支持部材２５の左右の部分が回動支持軸２４を中心に上下に回動して、支持部材２５のレンズ押さえ軸２６，２６の他方も眼鏡レンズＬＬ（ＬＲ）に当接して、一対のレンズ押さえ軸２６，２６により眼鏡レンズＬＬ（ＬＲ）の左右の部分をそれぞれ上方から押さえることになる。
【００４６】
一方、演算制御回路６９は、測定光学系ＳＬのＬＥＤ４９，５０を順番に点灯させて、眼鏡レンズＬＬの測定を行う。この際、ＬＥＤ４９からの測定光束は、コリメートレンズ５１により平行光束にされて、ダイクロイックミラー５３により反射して、眼鏡レンズＬＬに投光される。
【００４７】
これに伴い、眼鏡レンズＬＬを透過した測定光束は、パターン板５４を透過して、フィールドレンズ５５、反射ミラー５６，５７、光路合成プリズム５８、結像レンズ５９を介してＣＣＤ６０に案内され、ＣＣＤ６０上にパター板５４のパターン像を結像させる。また、ＬＥＤ５０からの測定光束は、コリメートレンズ５１により平行光束にされて、ダイクロイックミラー５３を透過し、眼鏡レンズＬＬに投光される。これに伴い、眼鏡レンズＬＬを透過した測定光束は、パターン板５４を透過して、フィールドレンズ５５、反射ミラー５６，５７、光路合成プリズム５８、結像レンズ５９を介してＣＣＤ６０に案内され、ＣＣＤ６０上にパター板５４のパターン像を結像させる。そして、演算制御回路６９は、ＣＣＤ６０に結像されたパター像の状態から眼鏡レンズＬＬの各部の屈折特性を測定して、屈折特性のマッピングデータを求める。
【００４８】
この後、演算制御回路６９は、測定光学系ＳＲのＬＥＤ６１，６２を順番に点灯させて、眼鏡レンズＬＲの測定を行う。この際、ＬＥＤ６１からの測定光束は、コリメートレンズ６３により平行光束にされて、ダイクロイックミラー６５により反射して、眼鏡レンズＬＲに投光される。
【００４９】
これに伴い、眼鏡レンズＬＲを透過した測定光束は、パターン板６６を透過して、フィールドレンズ６７、反射ミラー６８、光路合成プリズム５８、結像レンズ５９を介してＣＣＤ６０に案内され、ＣＣＤ６０上にパター板６６のパターン像を結像させる。また、ＬＥＤ６２からの測定光束は、コリメートレンズ６４により平行光束にされて、ダイクロイックミラー６５を透過し、眼鏡レンズＬＲに投光される。これに伴い、眼鏡レンズＬＲを透過した測定光束は、パターン板６６を透過して、フィールドレンズ６７、反射ミラー６８、光路合成プリズム５８、結像レンズ５９を介してＣＣＤ６０に案内され、ＣＣＤ６０上にパター板５４のパターン像を結像させる。そして、演算制御回路６９は、ＣＣＤ６０に結像されたパター像の状態から眼鏡レンズＬＲの各部の屈折特性を測定して、屈折特性のマッピングデータを求める。
【００５０】
この様にして求められた眼鏡レンズＬＬ，ＬＲの屈折特性のマッピングデータはパソコンＰＣに送られて、パソコンＰＣの図示しないモニターに画像表示される。
【００５１】
【発明の実施の形態２】
次に、この発明の実施の形態２を図１７，１８に基づいて説明する。
【００５２】
この図１７，１８に示した発明は、発明の実施の形態１におけるレンズ受９Ｌ，９Ｒの機構に代えて用いる他のレンズ受機構８０を示したものである。
【００５３】
このレンズ受機構８０は、左側レンズ受機構８０Ｌと右側レンズ受機構８０Ｒを有する。このレンズ受機構８０は、上述の下筐体部３内に収容される。また、左側レンズ受機構８０Ｌと右側レンズ受機構８０Ｒは構成が同一であるので、同じ符号を付して、一方の構成についてのみ説明する。
【００５４】
この左側レンズ受機構８０Ｌは、回転出力軸８１ａが鉛直（上下）に向けられた駆動モータやロータリーソレノイド等の駆動装置（駆動手段）８１と、出力軸８１ａの上端部に設けられた回転台８２と、回転台８２上に鉛直方向（上下方向）に向けて取り付けられた昇降手段８３と、昇降手段８３により昇降駆動される支持軸８４と、支持軸８４の上端部に水平方向に向けて取り付けられたアーム８５と、アーム８５の先端部に上方に向けて鉛直に取り付けられたレンズ受軸（レンズ受）８６を有する。このレンズ受軸８６の上端部には球状受部８６ａが形成されている。
【００５５】
尚、昇降手段８３としては、油圧シリンダやソレノイド或いは駆動モータとネジを用いた送り機構等を用いることができる。
【００５６】
この様な構成において、眼鏡レンズＬＬ，ＬＲを図１の空間６に配置する前は、図１７，１８に実線で示したようにレンズ受機構８０Ｌ，８０Ｒのアーム８５，８５の先端同士を互いに対向させておくと共に、レンズ受機構８０Ｌ，８０Ｒのレンズ受軸８６，８６を実線で示した位置まで上昇させて、レンズ受軸８６，８６の上端部を開口８から上方に突出させておく。この位置では、レンズ受軸８６，８６の軸線が左右の測定光学系の光軸ＯＬ，ＯＲと一致するようにしておく。
【００５７】
この状態からメガネ５を空間６内に入れて、メガネ５の左眼鏡レンズＬＬを左のレンズ受軸８６とレンズ押さえ棒２６，２６との間に配設し、メガネ５の右の眼鏡レンズＬＲを右のレンズ受軸８６とレンズ押さえ棒２６，２６との間に配設する。
【００５８】
そして、メガネ５の左右のレンズ枠ＬＦ，ＲＦの鼻当ＮＰ，ＮＰを鼻当当接部材４５に当接支持させる。これにより、メガネ５の左右の眼鏡レンズＬＬ，ＬＲを左右の測定光学系ＳＬ，ＳＲに対して左右に正確に振り分けることができる。この状態で、この鼻当当接部材４５ネジリコイルバネ４３，４６のバネ力に抗して下方に移動させることにより、図１７の如くメガネ５の眼鏡レンズＬＬ，ＬＲをレンズ受軸８６，８６上に当接させる。
【００５９】
この後、フレーム保持部材２８，２９の間隔を上述した実施例と同様に狭めて、フレーム保持部材２８，２９間でメガネ５のメガネフレームＭＦ（レンズ枠ＲＦ，ＬＦ）を挟持させると共に、左右のレンズ押さえ棒２６，２６及び２６，２６を眼鏡レンズＬＬ，ＬＲにそれぞれ上方から当接させて保持する。
【００６０】
次に、レンズ受機構８０Ｌ，８０Ｒの昇降手段８３，８３を作動させて、支持軸８４，８４、アーム８５，８５及びレンズ受軸８６，８６を図１７の破線で示した位置まで降下させる。
【００６１】
この状態では、メガネ５のメガネフレームＭＦのブリッジＢが鼻当支持部材２５により下方から支持され、眼鏡レンズＬＬ，ＬＲがレンズ押さえ棒２６，２６及び２６，２６により上方から長いえられていると共に、メガネフレームＭＦがフレーム保持部材２８，２９で前後から保持（挟持）されているので、レンズ受軸８６，８６が降下しても、メガネフレームＭＦの前後方向の位置及び眼鏡レンズＬＬ，ＬＲの上下方向の高さ（位置）がずれることはない。
【００６２】
そして、レンズ受機構８０Ｌ，８０Ｒの駆動装置８１，８１を駆動して回転台８２を回転駆動し、支持軸８４，８４、アーム８５，８５及びレンズ受軸８６，８６を図１９の矢印８７，８７で示したように破線の位置まで回動させ、アーム８５，８５及びレンズ受軸８６，８６を測定光学系の光路からそれぞれ退避させる。この状態で、上述した実施例と同様にして、眼鏡レンズＬＬ，ＬＲの屈折特性（光学特性）の測定を行う。この様な駆動装置８１や昇降手段８３の作動制御は演算制御回路６９により行わせる。また、アーム８５の回動位置や昇降位置はセンサにより検出して位置決するようにしても良い。
【００６３】
この様にすることで、眼鏡レンズＬＬ，ＬＲの下面の高さをより正確に特定して、左右の各受光光学系の測定光軸上において眼鏡レンズＬＬ，ＬＲの下面と受光光学系の受光手段までの距離をより正確に一定にして、眼鏡レンズの正確な屈折特性を測定することができる。即ち、本実施例の構成により、眼鏡レンズＬＬ，ＬＲの測定光軸上における下面は、眼鏡レンズＬＬ，ＬＲの厚さや、レンズ裏面（下面）のカーブ、フレームの湾曲形状等に左右されることなく、常に同じ高さの位置に配置できるので、左右の各受光光学系の測定光軸上において眼鏡レンズＬＬ，ＬＲの下面と受光光学系の受光手段までの距離をより正確に一定にして、眼鏡レンズの正確な屈折特性を測定することができる。
【００６４】
しかも、眼鏡レンズＬＬ（ＬＲ）の屈折特性（光学特性）を測定する際には測定光学系の光路中に測定光束を遮る部材がなく、正確な測定ができる。また、構成が簡単である。
【００６５】
尚、上述した例では、レンズ受軸８６の昇降手段８３を駆動装置８１で回転させてアーム８４を水平回動させることにより、レンズ受軸８６を回動するアーム８４でレンズ支持位置と退避位置との２箇所に移動するようにしたが、必ずしもこれに限定されるものではない。例えば、レンズ受軸８６の昇降手段８３を直線的に進退駆動させることにより、レンズ受軸８６をレンズ支持位置と退避位置との２箇所で直線的に進退移動するようにしてもい。
（変形例）
尚、レンズ受軸８６の他の例としては、図１９（ａ）に示したように円錐台状で筒状の小径のレンズ受８８や、図１９（ｂ）に示したように小円上に位置するように等ピッチに配列した複数のレンズ受軸８９ａ，８９ａ，８９ａをアーム８５の先端部に設けた構成のレンズ受８９としても良い。この場合には、眼鏡レンズＬＬ（ＬＲ）を受けたとき、これらを安定して支持することができる。なお、この場合も、アーム５５，５５の先端同士を対向させたとき、レンズ受８８の軸線Ｏ１やレンズ受軸８９ａ，８９ａ，８９ａ間の中心線Ｏ２が光軸ＯＬ（ＯＲ）と一致するようにする。
（その他１）
上述した発明の実施の形態２において、フレーム保持部材２８，２９を設けずに、鼻当支持機構３０の回動板４２及び鼻当支持部材４５を回動位置にロックするロック装置を設けた構成としても良い。
【００６６】
この場合、左右のレンズ押さえ機構１３，１３がメガネ５の左右の眼鏡レンズＬＬ，ＬＲを上方から非常に小さなバネ圧で押さえるようにしておくことで、メガネフレームＭＦが大きく撓み変形することなく、レンズ押さえ機構１３，１３とロック装置付の鼻当支持機構３０により、メガネ５の眼鏡レンズＬＬ，ＬＲをレンズ受で設定した位置に安定して保持できる。この構成によれば、構成が簡単となる。
【００６７】
また、左右のレンズ押さえ機構１３，１３を省略して、鼻当支持機構３０の回動板４２及び鼻当支持部材４５を回動位置にロックするロック装置と、鼻当支持部材４５の両側にメガネ５の左右のレンズ枠ＬＦ，ＲＦ又は眼鏡レンズＬＬ，ＬＲを上下から保持するクリップ状のレンズ枠保持部材又はレンズ保持部材を設けた構成としても良い。
【００６８】
この場合には、ロック装置付の鼻当支持部材４５とクリップ状のレンズ枠保持部材又はレンズ保持部材により、メガネ５の眼鏡レンズＬＬ，ＬＲをレンズ受機構８０で設定した高さ位置に正確に保持して、正確に屈折特性を測定できる。
【００６９】
【発明の効果】
以上説明したように、請求項１の発明のレンズメータは、左右一対のレンズ受は、前記測定光学系の測定光軸と直交する水平軸を中心に両端部が上下回動する様に設けられたアームと、前記水平軸と直交し且つ前記測定光軸を含む面上に位置して前記アームに設けられた一対のレンズ支持突部を備えると共に、前記一対のレンズ支持突部は前記水平軸からの距離が等しく設けられている構成としたので、メガネの左右の眼鏡レンズを測定する光学系を一対設けても、各受光光学系の測定光軸上において眼鏡レンズの下面と受光光学系の受光手段までの距離を一定にして、眼鏡レンズの正確な屈折特性を測定することができる。
【００７０】
また、請求項２の発明のレンズメータは、左右一対の各レンズ受は、駆動装置により前記各測定光路内の前記各眼鏡レンズを支持する位置と前記各測定光路から退避した位置との間で移動駆動可能に設けられている構成としたので、眼鏡レンズの下面の高さをより正確に特定して、各受光光学系の測定光軸上において眼鏡レンズの下面と受光光学系の受光手段までの距離をより正確に一定にして、眼鏡レンズの正確な屈折特性を測定することができる。
【図面の簡単な説明】
【図１】この発明に係るレンズメータの斜視図である。
【図２】図１のレンズメータの開口部分におけるレンズ受の取付部の断面図である。
【図３】図２のＢ−Ｂ線に沿う断面図である。
【図４】図２のＡ−Ａ線に沿う断面図である。
【図５】図１に示したレンズ押さえ機構の部分の断面図である。
【図６】図３のＣ−Ｃ線に沿う断面図である。
【図７】図６の作用説明図である。
【図８】図１の鼻当支持機構の取付部の断面図である。
【図９】図８のフレーム保持部材への鼻当支持機構の取付部の拡大図である。
【図１０】図８のＤ−Ｄ線に沿う断面図である。
【図１１】図８の鼻当支持機構を矢印Ａ方向から見た説明図である。
【図１２】（ａ）は図１１のＦ−Ｆ線に沿う断面図、（ｂ）は鼻当支持部材の概略斜視図、（ｃ）は鼻当支持部材の変形例を示す概略斜視図である。
【図１３】図１〜図１２に示したレンズメータの測定光学系の説明図である。
【図１４】図４のレンズ受の作用説明図である。
【図１５】図１４のＧ−Ｇ線に沿う断面図である。
【図１６】図１４の部分拡大説明図である。
【図１７】この発明の実施の形態２の要部説明図である。
【図１８】図１７の平面図である。
【図１９】（ａ），（ｂ）は、図１７のレンズ受軸の他の構造例を示す説明図である。
【符号の説明】
ＬＬ，ＬＲ・・・眼鏡レンズ
１・・・装置本体（本体ケース）
９Ｌ，９Ｒ・・・レンズ受
ＳＬ，ＳＲ・・・測定光学系
１０・・・受枠
１０ａ・・・短辺（アーム）
１１・・・支持軸（水平軸）
１２・・・レンズ受軸（レンズ支持突部）
８６・・・レンズ受軸（レンズ受）
８８・・・レンズ受
８９ａ・・・レンズ受軸
【図１】
0003810666.tif 000002
【図２】
0003810666.tif 000003
【図３】
0003810666.tif 000004
【図４】
0003810666.tif 000005
【図５】
0003810666.tif 000006
【図６】
0003810666.tif 000007
【図７】
0003810666.tif 000008
【図８】
0003810666.tif 000009
【図９】
0003810666.tif 000010
【図１０】
0003810666.tif 000011
【図１１】
0003810666.tif 000012
【図１２】
0003810666.tif 000013
【図１３】
0003810666.tif 000014
【図１４】
0003810666.tif 000015
【図１５】
0003810666.tif 000016
【図１６】
0003810666.tif 000017
【図１７】
0003810666.tif 000018
【図１８】
0003810666.tif 000019
【図１９】
0003810666.tif 000020